(57)【要約】【課題】本発明は収納装置に関するものであり、溝加工を必要とせず板状素材をそのまま棚板として使用可能とすることを目的とする。【解決手段】収納装置の両側側板１０は縦方向に等間隔に２列のダボ孔１４を形成しており、各側板１０における所定の高さ位置の水平な一対のダボ孔１４にダボ１６が挿入され、ダボ１６にダボとの係合溝を有さない全体が平面状の棚板１８が位置される。棚板保持具２０はダボ部２６を備えたおり、ダボ部２６は棚板１８より上方に位置する適当な位置のダボ孔１４に挿入され、棚板１８はダボ１６と棚板受具２０との間に挟着保持される。【選択図】  図１
2009066207.tif 000002
【特許請求の範囲】
【請求項１】
一対の側板と、長手方向に間隔をおいて側板に穿設されたダボ孔と、前記ダボ孔に挿入保持される棚板受具と、一対の側板間を延設され、各側板に挿入保持された棚板受具上に載置される棚板と、前記棚板より上方に位置するダボ孔に挿入され、棚板受具との間で棚板を保持する棚板保持具とからなる収納装置。
【請求項２】
前記棚板保持具は棚板面上に当接載置される支持部と、支持部より片持状に延設され、ダボ孔に挿入される挿入部とから構成される収納装置。
【発明の詳細な説明】
【技術分野】
【０００１】
この発明は側板間に多段にかつ位置調節可能に棚板を配置した収納装置に関するものである。
【背景技術】
【０００２】
多段の棚板を備えた収納装置として、側板間に多段にかつ位置調節可能に棚板を配置したものでは、棚板の多段配置のため側板に長手方向に等間隔にその両側縁に近接して、各組が水平となるように２列に等間隔にダボ孔を穿設し、各側板における適当な高さ位置の一組のダボ孔にダボを装着し、ダボに棚板を載置するようにしている。適当な高さのダボ孔を選定することにより棚板を所望の高さ位置とすることができる。そして、棚板の位置がずれることがないように棚板の下面にはダボ孔と密実に係合収容する断面が実質的に半円形の溝が機械加工により形成されてある。
【特許文献１】特開２００１−８７６１号公報
【発明の開示】
【発明が解決しようとする課題】
【０００３】
従来技術では棚板の位置保持のため、棚板の下面に断面が実質的に半円形の溝を機械加工により切削形成していた。棚板の下面に形成される断面半円形溝はダボと密実に係合するため、棚板を単に上から載せているだけであるが棚板を簡単には動かないようにすることができる。従って、棚板として板状素材をそのまま使用というわけには行かず、左右の側板の２本のダボと係合せしめるため各棚板には都合４個の溝の切削形成が必要であり、その分の加工コストが製品価格に上乗せになり、コスト的高に繋がることになる。
【０００４】
本発明はかかる問題点に鑑みてなされたものであり、溝加工を必要とせず板状素材をそのまま棚板として使用可能とすることを目的とする。
【課題を解決するための手段】
【０００５】
この発明による収納装置は、一対の側板と、長手方向に間隔をおいて側板に穿設されたダボ孔と、前記ダボ孔に挿入保持される棚板受具と、一対の側板間を延設され、各側板に挿入保持された棚板受具上に載置される棚板と、前記棚板より上方に位置するダボ孔に挿入され、棚板受具との間で棚板を保持する棚板保持具とから構成される。
【０００６】
棚板は棚板受具上に載置されることにより側板に保持され、棚板受具と当接する棚板の底面には溝の切削は必要なく板材から切り出したままの平面とすることができる。即ち、棚板は棚板受具に載っているだけであり得る。他方、棚板保持具は棚板の上からダボ孔に挿入され、棚板は棚板受具と棚板保持具との間に挟着保持される。
【発明の効果】
【０００７】
棚板はダボ孔に装着される棚板受具と棚板保持具との間に挟着されることで保持され、棚板には棚板受具とも棚板保持具とも係合させる溝の切削の必要はなく、加工コストの軽減を実現することができる。即ち、棚板保持具は追加部品となるがプラスチックの成形品等の低コストの部品で済ますことができ、溝の加工コストよに大幅に低廉であり、結果的に収納装置のコスト減を実現することができる。
【発明を実施するための最良の形態】
【０００８】
以下、この発明の収納装置の実施形態について説明すると、この実施形態は収納装置としての本棚に向けられたもので、図１及び図２において、１０は側板、１２は背面板で、図示しないが天板及び床板が設けられ、箱状に形成されている。側板１０は左右に一対設けられ（図１では右側のみ図示）、各側板１０の長手方向（縦方向）に間隔をおいてダボ孔１４が内側及び外側、即ち２列に穿設される。適当な高さ位置における水平な一対のダボ孔１４には棚板受具（ダボ）１６の先端部16-1（図３）が挿入され、左右の同一高さ位置のダボ１６に棚板１８が側板１０が上方より載置される。棚板１８は基本的には素材となる板材からの切り出しのままで、通常は下面１８Ａにはダボ１６に係合させるための溝の切削がされるが、本発明では棚板下面１８Ａはこのような溝の機械切削は何ら受けておらず、棚板下面１８Ａは全体が平面のままである。従って、棚板１８はダボ１６に載っているだけである。
【０００９】
ダボ１６に載置されているだけの棚板が簡単にずれてしまうことを防止するため、この発明では棚板保持具２０が設けられる。棚板保持具２０は、プラスチック等の一体成形品であり、直立本体２２と、本体２２の下端の水平脚部２４（本体２２とで本発明の支持部を構成する）と、本体２２より片持状に水平方向に延設されるダボ部（本発明の挿入部）２６とから構成される。棚板保持具２０は、棚板１８をダボ１６に載せた後で、棚板１８に関してダボ１６を挟んで上側に位置する適当なダボ孔に挿入され、ダボ１６との間で棚板１８を挟着保持するべく機能する。
【００１０】
図４（イ）は一方の側板１０における適当な高さ位置の水平な一対のダボ孔１４にダボ１６を装着した状態を示し、他方の側板についても水平な一対のダボ孔１４にダボ１６が装着され、棚板１８は両端においてダボ１６に載置される。そして、（ロ）に示す様に棚板１８の上面側で背面壁１２側において棚板保持具２０はその脚部２４を棚板１８に載置しつつダボ部２６が対向するダボ孔に向けて矢印ｆのように挿入され、図１は棚板保持具２０はダボ部２６の対向するダボ孔への装着後の状態を示す。その結果、棚板１８を下側のダボ１６と上側の棚板受具２０との間に挟着保持することができる。ダボ１６と上側の棚板受具２０との間で挟着によるこの発明の棚板保持方式は従来のダボを棚板下面の溝と係合させる方式と比較して、保持力は勿論劣るが、収納対象物がプラモデルのような軽量の場合は棚板自体が軽量化できるため機能上それ程の問題はない。また、棚の前面には図２の想像線２８にて示すように引き戸型などの開閉戸若しくは窓（大抵はガラスで作られてある）等が設けられるため、プラモデルのような軽量物品の収納棚としてはずれ防止として十分機能させることができる。
【図面の簡単な説明】
【００１１】
【図１】図１はこの発明の収納装置としての収納棚の部分的斜視図である。
【図２】図２は図１の収納棚の断面図（図３のII−II線に沿った断面図）である。
【図３】図３は図１の収納棚の縦断面図（図２のIII−III線に沿った断面図）である。
【図４】図４は図１と同様の斜視図であるが、棚板の組み立て手順を示す。
【符号の説明】
【００１２】
１０…側板
１２…背面板
１４…ダボ孔
１６…ダボ
１８…棚板
２０…棚板保持具
２２…直立本体
２４…水平脚部
２６…ダボ部
【図１】
2009066207.tif 000003
【図２】
2009066207.tif 000004
【図３】
2009066207.tif 000005
【図４】
2009066207.tif 000006